(57)【要約】【課題】デジタルカメラで撮像した画像データを、デジタルカメラと非接触な状態で格納可能な携帯型メモリを提供する。【解決手段】  携帯型メモリ２００は、外部装置（例えばデジタルカメラ１０）からデータ（例えば画像データ）を無線送受信するための通信部２１２とメモリ部２１０と電源部２２０とを備える。これにより、デジタルカメラ１０が撮影した画像データを非接触な状態で携帯型メモリ２００に記録させることができる。【選択図】図１
2006350447.tif 000002
【特許請求の範囲】
【請求項１】
外部装置との間でデータを無線送受信するための通信部と、
その通信部と一体に形成され、前記データを記録するメモリ部と、
前記通信部及び前記メモリ部とは別体に形成され、前記通信部及び前記メモリ部に電源を供給するための電源部と、を備え、
前記電源部は、前記通信部及び前記メモリ部に接続するための電源側接続部を備え、
前記通信部及び前記メモリ部は、前記電源部に接続するためのメモリ側接続部を備え、
前記電源部と前記通信部及び前記メモリ部とは、前記電源側接続部及び前記メモリ側接続部を介して着脱自在に接続される、
ことを特徴とする携帯型メモリ。
【請求項２】
外部装置から受信したデータを記録するメモリ部と、
そのメモリ部と一体に形成され、電源を供給するための電源部と、
前記メモリ部及び前記電源部とは別体に形成され、前記データを無線送受信するための通信部と、を備え、
前記メモリ部及び前記電源部は、前記通信部に接続するためのメモリ側接続部を備え、
前記通信部は、前記メモリ部及び前記電源部に接続するための通信側接続部を備え、
前記メモリ部及び前記電源部と前記通信部とは、前記メモリ側接続部及び前記通信側接続部を介して着脱自在に接続される、
ことを特徴とする携帯型メモリ。
【請求項３】
外部装置との間でデータを無線送受信するための通信部と、
その通信部と一体に形成され、電源を供給するための電源部と、
前記通信部及び前記電源部とは別体に形成され前記データを記録するメモリ部と、を備え、
前記通信部及び前記電源部は、前記メモリ部に接続するための通信側接続部を備え、
前記メモリ部は、前記通信部及び前記電源部に接続するためのメモリ側接続部を備え、
前記通信部及び前記電源部と前記メモリ部とは、前記通信側接続部と前記メモリ側接続部とを介して着脱自在に接続される、
ことを特徴とする携帯型メモリ。
【請求項４】
外部装置との間でデータを無線送受信するための通信部と、
前記データを記録するメモリ部と、
前記通信部及び前記メモリ部に電源を供給するための電源部と、を備え、
前記通信部と前記メモリ部と前記電源部とは各々別体に形成され、
前記通信部は、前記メモリ部及び前記電源部の少なくとも一方と接続するための通信側接続部を備え、
前記メモリ部は、前記通信部及び前記電源部の少なくとも一方と接続するためのメモリ側接続部を備え、
前記電源部は、前記メモリ部及び前記通信部の少なくとも一方と接続するための電源側接続部を備え、
前記通信部と前記メモリ部と前記電源部とは、前記通信側接続部と前記メモリ側接続部と前記電源側接続部とを介して着脱自在に接続される、
ことを特徴とする携帯型メモリ。
【請求項５】
前記データを記録する少なくとも一つの増設メモリ部を更に備え、
前記増設メモリ部は、前記通信部と前記メモリ部と前記電源部とのうちの少なくとも一つと接続するための増設メモリ側接続部を備える、
ことを特徴とする請求項１乃至４のいずれか一つに記載の携帯型メモリ。
【請求項６】
前記メモリ部及び前記増設メモリ部は、前記メモリ部及び前記増設メモリ部を識別するメモリ識別情報を備え、
前記メモリ識別情報に基づいて、前記データの記録先を指定するためのメモリ指定手段を更に備える、
ことを特徴とする請求項５に記載の携帯型メモリ。
【請求項７】
前記メモリ部、前記通信部、及び前記電源部の少なくとも一つは、前記携帯型メモリを装着対象物に装着するための装着部を備える、
ことを特徴とする請求項１乃至６に記載の携帯型メモリ。
【請求項８】
前記電源部と前記通信部と前記メモリ部とを接続した状態において略ペン型形状を構成し、
前記装着部は、ポケットクリップとして構成し、
前記ポケットクリップは、前記通信部に接続されたアンテナとして構成される、
ことを特徴とする請求項７に記載の携帯型メモリ。
【請求項９】
前記メモリ部は、カード状に構成され、
前記通信部及び前記電源部は、前記カード状のメモリ部を収納可能なカードホルダーとして構成され、
前記メモリ部は、前記カードホルダーに出し入れされることにより着脱自在に接続される、
ことを特徴とする請求項３又は４に記載の携帯型メモリ。
【請求項１０】
前記カードホルダーは、前記メモリ部及び増設用の増設メモリ部を収納可能に構成する、
ことを特徴とする請求項９に記載の携帯型メモリ。
【請求項１１】
前記通信部は、無線タグにより構成される、
ことを特徴とする請求項１乃至１０のいずれか一つに記載の携帯型メモリ。
【請求項１２】
前記メモリ部、前記通信部、又は前記電源部のうちの少なくとも一つに、前記メモリ部の空き容量、前記メモリ部の読み書き可能な残回数、前記メモリ部に記録されたデータのうち任意の画像データのサムネイル画像、電池残量、前記通信部が無線送受信可能な外部装置を識別するための情報、前記データの受信先として登録された前記外部装置を識別するための情報、のうちの少なくとも一つを表示するための表示部を備える、
ことを特徴とする請求項１乃至１１のいずれか一つに記載の携帯型メモリ。
【発明の詳細な説明】
【技術分野】
【０００１】
本発明は携帯型メモリに係り、特にデジタルカメラなどの撮像装置で生成した画像データを格納するための携帯型メモリに関する。
【背景技術】
【０００２】
従来、無線タグ（「ＲＦＩＤ」）を利用した種々の技術がある。例えば、特許文献１には、無線タグを携帯型機器のケース内に備え、該無線タグ（データキャリア）が送受信に利用する磁束の方向と、アンテナコイル等の磁束漏洩路を効果的に配置、形成して利用することにより送受信可能な磁束レベルを確実に確保して大容量の固有情報の通信を可能にした携帯型機器が開示されている。また、特許文献２には、無線タグリーダと、バッテリと通信手段とを備えたモバイルコンピュータが開示されている。更に、特許文献３には、無線タグを利用した電子機器の電源供給方法、電源供給システムおよびバッテリーユニットが開示されている。このバッテリーユニットでは、デジタルカメラに情報を送出する無線タグを備え、電池パックには情報を取得する無線タグリーダを備える。無線タグリーダが情報を取得すると電池パックはＦＥＴをオンして電力供給を行い、無線タグリーダが情報を取得できないときにはＦＥＴをオフして電池パックの出力手段を遮断し、電力供給を停止する。
【０００３】
一方、デジタルカメラで撮影して得られた画像データは、通常、デジタルカメラのカードスロットに挿入されたメモリカードに記録されている。
【特許文献１】特開２００１−１４２７７号公報
【特許文献２】特開２００２−１３８６０５号公報
【特許文献３】特開２００３−９７８６４号公報
【発明の開示】
【発明が解決しようとする課題】
【０００４】
デジタルカメラに挿入されたメモリカードの空き容量がなくなると、一旦カードスロットからメモリカードを取り出して、ＰＣや電子アルバム装置などのメモリカードに記録された画像データを移動し、再度メモリカードをデジタルカメラに挿入する必要があった。上述の無線タグを利用すると無線によりデータの送受信が可能ではあるが、例えば特許文献２のモバイルコンピュータは、データを蓄えるメモリ装置を備えていないため、無線タグで受信したデータを記録しておくことができない。
【０００５】
本発明は、上記問題を鑑みてなされたものであり、デジタルカメラで撮像した画像データを、デジタルカメラと非接触な状態で格納可能な携帯型メモリを提供することを目的とする。
【課題を解決するための手段】
【０００６】
前記目的を達成するために、本発明に係る携帯型メモリは、外部装置との間でデータを無線送受信するための通信部と、その通信部と一体に形成され、前記データを記録するメモリ部と、前記通信部及び前記メモリ部とは別体に形成され、前記通信部及び前記メモリ部に電源を供給するための電源部と、を備え、前記電源部は、前記通信部及び前記メモリ部に接続するための電源側接続部を備え、前記通信部及び前記メモリ部は、前記電源部に接続するためのメモリ側接続部を備え、前記電源部と前記通信部及び前記メモリ部とは、前記電源側接続部及び前記メモリ側接続部を介して着脱自在に接続される、ことを特徴とする。
【０００７】
これにより、携帯型メモリは、撮像装置で撮影した画像データを無線受信、すなわち非接触な状態で記録することができる。そのため、撮像装置に備えた画像データの記録装置、例えばメモリカードや不揮発性メモリの空き容量が少なくなった場合にも画像データを携帯型メモリにコピー又は移動させ、撮像装置の記録装置に更なる画像データを記録させることができる。また、電源部の電源残量が減った場合にも容易に電源部を交換することができる。
【０００８】
また、本発明に係る携帯型メモリは、外部装置から受信したデータを記録するメモリ部と、そのメモリ部と一体に形成され、電源を供給するための電源部と、前記メモリ部及び前記電源部とは別体に形成され、前記データを無線送受信するための通信部と、を備え、前記メモリ部及び前記電源部は、前記通信部に接続するためのメモリ側接続部を備え、前記通信部は、前記メモリ部及び前記電源部に接続するための通信側接続部を備え、前記メモリ部及び前記電源部と前記通信部とは、前記メモリ側接続部及び前記通信側接続部を介して着脱自在に接続される、ことを特徴とする。
【０００９】
これにより、携帯型メモリは、撮像装置で撮影した画像データを無線受信、すなわち非接触な状態で記録することができる。そのため、撮像装置に備えた画像データの記録装置、例えばメモリカードや不揮発性メモリの空き容量が少なくなった場合にも画像データを携帯型メモリにコピー又は移動させ、撮像装置の記録装置に更なる画像データを記録させることができる。また、通信部を取り替えることにより、異なる方式の通信（例えば、IrDAと無線タグ、ブルートゥースなど）を行なう。
【００１０】
また、本発明に係る携帯型メモリは、外部装置との間でデータを無線送受信するための通信部と、その通信部と一体に形成され、電源を供給するための電源部と、前記通信部及び前記電源部とは別体に形成され前記データを記憶するメモリ部と、を備え、前記通信部及び前記電源部は、前記メモリ部に接続するための通信側接続部を備え、前記メモリ部は、前記通信部及び前記電源部に接続するためのメモリ側接続部を備え、前記通信部及び前記電源部と前記メモリ部とは、前記通信側接続部と前記メモリ側接続部とを介して着脱自在に接続される、ことを特徴とする。
【００１１】
これにより、携帯型メモリは、撮像装置で撮影したデータを無線受信、すなわち非接触な状態で記録することができる。また、メモリ部を容易に交換できるため、メモリ部の空き容量が少なくなった場合にも他のメモリ部と交換し、画像データの受信及び記録を行うことができる。
【００１２】
また、本発明に係る携帯型メモリは、外部装置との間でデータを無線送受信するための通信部と、前記データを記録するメモリ部と、前記通信部及び前記メモリ部に電源を供給するための電源部と、を備え、前記通信部と前記メモリ部と前記電源部とは各々別体に形成され、前記通信部は、前記メモリ部及び前記電源部の少なくとも一方と接続するための通信側接続部を備え、前記メモリ部は、前記通信部及び前記電源部の少なくとも一方と接続するためのメモリ側接続部を備え、前記電源部は、前記メモリ部及び前記通信部の少なくとも一方と接続するための電源側接続部を備え、前記通信部と前記メモリ部と前記電源部とは、前記通信側接続部と前記メモリ側接続部と前記電源側接続部とを介して着脱自在に接続される、ことを特徴とする。
【００１３】
これにより、携帯型メモリは、撮像装置で撮影した画像データを無線受信、すなわち非接触な状態で記録することができる。更に、メモリ部、通信部、電源部がそれぞれ別体に形成されるため、各パーツ（メモリ部、通信部、電源部)の交換を容易に行うことができる。
【００１４】
また、前記データを記録する少なくとも一つの増設メモリ部を更に備え、前記増設メモリ部は、前記通信部と前記メモリ部と前記電源部とのうちの少なくとも一つと接続するための増設メモリ側接続部を備えてもよい。
【００１５】
これにより、メモリ容量を増やすことができる。
【００１６】
また、前記メモリ部及び前記増設メモリ部は、前記メモリ部及び前記増設メモリ部を識別するメモリ識別情報を備え、前記メモリ識別情報に基づいて、前記データの記録先を指定するためのメモリ指定手段を更に備えてもよい。
【００１７】
これにより、メモリ部又は増設用メモリ部を指定することができ、所望する画像データを指定したメモリ部又は増設用メモリ部に記録することができる。
【００１８】
前記メモリ部、前記通信部、及び前記電源部の少なくとも一つは、前記携帯型メモリを装着対象物に装着するための装着部を備えてもよい。
【００１９】
ここでいう「装着対象物」とは、衣服、かばん、デジタルカメラや携帯電話のストラップなど、携帯型メモリを装着する対象となるものをいう。
【００２０】
これにより、前記メモリ部、前記通信部、及び前記電源部を組み合わせて携帯型メモリを構成した状態で、装着部により装着対象物に固定することができ、携帯型メモリ持ち歩く際の便利性を向上することができる。
【００２１】
また、前記電源部と前記通信部と前記メモリ部とを接続した状態において略ペン型形状を構成し、前記装着部は、ポケットクリップとして構成し、前記ポケットクリップは、前記通信部に接続されたアンテナとして構成される。
【００２２】
これにより、クリップをポケットに挟み込むことができ、携帯型メモリの落下や紛失を防止しつつ携帯することができる。更にアンテナを表に出す（露出させる）ことができ、アンテナの受信感度を向上させることが出来る。
【００２３】
また、前記メモリ部は、カード状に構成され、前記通信部及び前記電源部は、前記カード状のメモリ部を収納可能なカードホルダーとして構成され、前記メモリ部は、前記カードホルダーに出し入れされることにより着脱自在に接続されてもよい。
【００２４】
これにより、携帯型メモリの厚さをより薄くすることができる。
【００２５】
また、前記カードホルダーは、前記メモリ部及び増設用の増設メモリ部を収納可能に構成されてもよい。
【００２６】
これにより、メモリ容量を増やすことができる。
【００２７】
また、前記通信部は、無線タグにより構成されてもよい。
【００２８】
また、前記メモリ部、前記通信部、又は前記電源部のうちの少なくとも一つに、前記メモリ部の空き容量、前記メモリ部の読み書き可能な残回数、前記メモリ部に記録されたデータのうち任意の画像データのサムネイル画像、電池残量、前記通信部が無線送受信可能な外部装置を識別するための情報、前記データの受信先として登録された前記外部装置を識別するための情報、のうちの少なくとも一つを表示するための表示部を備えてもよい。
【００２９】
上記「任意のデータ」とは、メモリ部に記録された画像データであればどの画像データでもよく、例えば、最も近い時刻において撮影または前記メモリ部に記録された画像データのサムネイル画像、メモリ部に記録された画像データを代表する画像データのサムネイル画像、ユーザが選択した画像データのサムネイル画像などでもよい。
【００３０】
これにより、携帯型メモリに記録された画像データや電池残量、無線通信する対象となる撮像装置などの情報を、ユーザが視認することができる。
【発明の効果】
【００３１】
本発明により、デジタルカメラで生成した画像データを、デジタルカメラと非接触な状態で格納可能な携帯型メモリを提供することができる。
【発明を実施するための最良の形態】
【００３２】
以下添付図面に従って本発明に係る携帯型メモリの好ましい実施の形態について詳説する。
【００３３】
[システムの概略構成]
図１は、本発明に係る携帯型メモリ２００とデジタルカメラ１０との間で画像データを送受信する画像送受信システムの構成を示す概略構成図である。デジタルカメラ１０のユーザは、デジタルカメラ１０で撮影した画像データを、そのユーザが携帯している携帯型メモリ２００に送信する。携帯型メモリ２００とデジタルカメラ１０とは、無線通信により画像データを送受信する。
【００３４】
[デジタルカメラ]
図２は図１のデジタルカメラ１０を撮影者側からみた外観図である。
【００３５】
デジタルカメラ１０は、その本体背面に撮影画角を確認するための表示部１１０と、上下左右キー８１、電源スイッチ８２、メニューボタン８３、実行ボタン８４、キャンセルボタン８５を備える。本体上面には、モードダイヤル１５０、レリーズボタン２２、アンテナ３２を備える。本体正面には、図示していない撮像レンズ１４を備える。表示部１１０には、カメラ１０のモード（例えば「再生モード」）を選択すると、表示されている画像のユニークな情報であるコマ番号が表示される。
【００３６】
図３は、図１のデジタルカメラ１０のブロック図である。まず、同図のカメラ１０において、中央処理装置（ＣＰＵ）１１２は、レリーズスイッチ２２、モードダイヤル１５０等を含む操作部１１３の各種のボタンやキーからの入力に基づいてデジタルカメラ１０内の各回路を統括制御する。ＣＰＵ１１２の実行するプログラムはＥＥＰＲＯＭ１１９に記録される。
【００３７】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００３８】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００３９】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００４０】
一方、画像処理回路１０８のＡ／Ｄ変換部１０８ａでデジタル信号に変換された画像データは、ハイパスフィルタ（ＨＰＦ）１２５でＧ画素成分のみ抽出される。そして、積算処理回路１２６で抽出されたＧ画素成分に積算処理が施されてＣＰＵ１１２に送られる。ＣＰＵ１１２は、積算処理回路１２６から送られた１画面分の６４分割の画像データの内、上下左右キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記録される。ＣＰＵ１１２は、ＡＦ評価値に従って被写体の合焦を判定する。その判断方法は任意であるが、例えばＡＦ評価値が極大点の近傍に略到達しているか否かを判断し、極大点に略到達している場合は合焦していると判断し、その他の場合は合焦していないと判断する。あるいは、ＡＦ評価値が所定の閾値を超えていれば合焦していると判断することもできる。
【００４１】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００４２】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００４３】
ここで、レリーズスイッチ２２が半押しされると、ＡＥ及びＡＦ処理が開始される。ＡＥ／ＡＦ処理が行われ、レリーズスイッチ２２が全押しされることによって記録用の撮影動作がスタートする。レリーズスイッチ２２全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００４４】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。記録された画像は、通信インターフェース７６を介して接続されたプリンタ２００に送信することもできる。プリンタ２００は、受信した画像をプリントする。
【００４５】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以上の短時間）発光するようにストロボ１８を制御する。
【００４６】
モードダイヤル１５０によって動画撮影モードが設定されたときには、レリーズスイッチ２２の全押し操作に連動して動画記録動作がスタートし、もう一度レリーズスイッチ２２を押下すると動画記録動作が停止する。レリーズスイッチ２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００４７】
モードダイヤル１５０により再生モードが選択されると、記録媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終コマのコマ画像が表示される。
【００４８】
その後、上下左右キー８１の右キーが押されると、順方向にコマ送りされ、上下左右キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている１コマ目の画像ファイルが読み出され、１コマ目のコマ画像が表示部１１０に再生される。
【００４９】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッタ速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００５０】
記録媒体４０は、撮影で得た画像データを保持する手段であり、例えばxＤ-ピクチャーカードと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（不揮発性メモリ１２８）であってもよい。
【００５１】
ＣＰＵ１１２は、デジタルカメラ１０の各回路を統括制御する制御回路であり、レリーズスイッチ２２、上下左右キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００５２】
デジタルカメラ１０の電源が電源スイッチ８２でオンされる度に、カメラボディ内部に装着される電池からなる主要電源１６４から、デジタルカメラ１０の各回路に電源が供給される。
【００５３】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００５４】
デジタルカメラ１０は、無線タグリーダ５０を備える。そして、携帯型メモリ２００に備えられた無線タグの情報を読み取り、画像送信先として携帯型メモリを識別する。
【００５５】
デジタルカメラ１０は、携帯型メモリ２００に画像データの送信制御を行う通信部３１を備える。通信部３１は、アンテナ３２に接続される。通信部３１は、無線通信手段として構成され、無線タグ、Bluetooth、赤外線通信（ＩｒＤＡ）形式による無線通信制御を行う。  
【００５６】
図４は、モードダイヤルの詳細を示す図である。モードダイヤル１５０は、「Ｐｌａｙ」（再生モード）、「Ｍｏｖ」（動画撮影モード）、「Ｃａｍ」（静止画撮影モード）、「ｗｉｒｅｌｅｓｓ」（無線通信モード）、「Ｓｅｔｕｐ」（セットアップモード）の例えば５つのモードを設定する。モードダイヤル１５０を回転させて所望するモードを決定位置１５１に位置させることにより、モード設定ができる。画像送信を行う場合には、モードダイヤル１５０を操作し「ｗｉｒｅｌｅｓｓ」モードを選択する。
【００５７】
[携帯型メモリ]
次に図５に基づいて図１の携帯型メモリ２００の構成について説明する。
【００５８】
携帯型メモリ（以下「メモリ」という。）２００は、略ペン形状をしており、クリップをユーザの着衣に備えられた胸ポケットに挟むことにより、ポケットから落下することを防ぎ、かつ携帯することができる。
【００５９】
図５（ａ）に示すとおり、携帯型メモリ２００は、主にペンのキャップ部に相当する部分にあるメモリ部２１０と、キャップ部にねじ機構により連結され、電池２２２を収納する電源部２２０とを備える。メモリ部２１０は、図５（ａ）では図示しない記録部２１１及び無線タグ（ＲＦＩＤ）２１２と、クリップとして構成されたアンテナ２１３と、サムネイル画像や電源の残量などを表示するための表示部２１４と、キャップ２１５とを備える。メモリ部２１０のキャップ２１５とは反対側の端部には、ねじ溝２１７が設けられている。また、メモリ部２１０は、表示部２１４の表示内容を切り替える指示を入力するためのスイッチ２１８を備える。
【００６０】
電源部２２０は、電池２２２を収納するための中空部を備えたバッテリ部カバー２２１を備える。バッテリ部カバー２２１の一端部には、ねじ溝２１７と係合するためのねじ部２２３が設けられている。
【００６１】
図５（ｂ）は、メモリ２００の各構成要素が分解可能であることを示す図である。
【００６２】
アンテナ２１３とキャップ２１５とは、メモリ部２１０から分離可能である。アンテナ２１３のリングをメモリ部２１０の突起部２１６にはめ込み、更にキャップ２１５を突起部２１６に設けられたねじ溝にはめ込むことにより、アンテナ２１３とキャップ２１５とはメモリ部２１０から着脱自在に固定することができる。
【００６３】
また、メモリ部２１０と電源部２２０とは、メモリ部２１０のねじ溝２１７とバッテリ部カバー２２１のねじ部２２３とをはめあわすことにより着脱可能に連結することができる。電源部２２０に電池２２２を挿入した状態でバッテリ部カバー２２１とメモリ部２１０とを連結させると、メモリ部２１０の内部に備えられた接点に電池２２２が当接し、メモリ部２１０に備えられた記録部２１１及び無線タグ２１２に電源供給が可能になる。
【００６４】
図６は、携帯型メモリ２００の電気的構成を示すブロック図である。同図に示すように、携帯型メモリ２００は、主として制御部２０１、記録部２１１、表示部２１４、操作部２１８、通信部タグ２１２、アンテナ２１３、電源制御部２１９、電池２２２で構成されている。
【００６５】
制御部２０１は、ＣＰＵとＲＡＭとＲＯＭとを備えており、所定の制御プログラムに従って携帯型メモリ２００全体の動作を統括制御する。
表示部２１４は、液晶ディスプレイ、ＴＦＴ、電子ペーパなどにより構成される。この表示部２１４は、制御部２０１による制御の下、その表示面に所定の情報を表示し、また、その表示された情報を消去する。制御部２０１は、記録部２１１に記録されたExif形式の画像データからサムネイル画像を読み出し、表示部２１４に表示する。このサムネイル画像は、ユーザが選択したコマ画像のサムネイル画像でもよいし、直近に撮影または記録された画像データのサムネイル画像でもよい。また、記録部２１１に記録された画像データを代表するサムネイル画像でもよい。例えば、旅行中に撮影した一連の画像データのうち、旅行先を把握するために適した風景写真などをユーザが指定して表示させてもよい。また、制御部２０１は、電源制御部２１９を介して電池２２２の残量を表示部２１４に表示する。また制御部２０１は、記録部２１１の空き容量、読み書き可能な残回数を表示部２１４に表示させてもよい。更に、通信部２１２を介して無線受信可能なデジタルカメラ１０の名称や、画像データの受信先として登録されたデジタルカメラ１０の名称を表示してもよい。
【００６６】
操作部２１８は、ゴムスイッチにより構成される。このゴムスイッチを押し下げることにより、表示部２１４に表示させる情報を指示したり、携帯型メモリ２００の電源のＯＮ／ＯＦＦを切り替えたりすることができる。
【００６７】
電源制御部２１９は、制御部２０１による制御の下、電池２２２から携帯型メモリ２００の各構成要素に対して電源を供給する。
【００６８】
通信部２１２は、無線タグにより構成され、制御部２０１による制御の下、デジタルカメラ１０と無線通信路を確立し、携帯型メモリ２００の識別情報を送信すると共にデジタルカメラ１０から画像データを受信する。無線タグは、アンテナ２１３に接続される。通信部２１２は、無線タグに代えてIrDA,Bluetoothなど他の無線通信手段により構成しても良い。
【００６９】
記録部２１１は、不揮発性メモリにより構成され、制御部２０１による制御の下、通信部２１２を介して受信した画像データを記録する。
【００７０】
なお、本実施の形態においては、略ペン形状の携帯型メモリ２００のキャップ相当部分をメモリ部２１０とし、ペンに相当する部分を電源部２２０として構成したが、キャップ相当部分を電源部２２０とし、ペンに相当する部分をメモリ部２１０として構成してもよい。またアンテナ２１３をクリップとして構成したが、携帯型メモリ２００の外表面全体をアンテナとして構成してもよい。
【００７１】
次に、図７に従って、画像を送受信する処理の流れについて説明する。図７は、デジタルカメラ１０が撮影して生成した画像データを携帯型メモリ２００に送信する処理の流れを説明するためのフローチャートである。以下図７の各ステップ順に説明する。
【００７２】
（ステップＳ１）
デジタルカメラ１０が画像送信モードに設定される（Ｓ１）。Ｓ１では、デジタルカメラ１０のユーザがモードダイヤル１５０を操作してワイヤレスモードを選択し、図８に示すような無線通信機能の選択画面を表示する。そして、画像送信モードを選択する。図８においては、選択されたモードを白黒反転表示して表示する。なお、携帯型メモリ２００に予め画像受信先となるデジタルカメラ１０を登録させる機能がある場合には、ユーザは、Ｓ１でデジタルカメラ１０を操作して画像送信先を設定するに先立ち，携帯型メモリ２００のスイッチ２１８を押し、表示部２１４に画像受信先のデジタルカメラの名称（識別情報）を表示させてもよい。これにより、ユーザは、デジタルカメラ１０の画像データを携帯型メモリ２００に記録させることができることを確認した上で、画像送信処理を進めることができる。
【００７３】
（ステップＳ２）
デジタルカメラ１０が、携帯型メモリ２００の無線タグ情報を読む（Ｓ２）。デジタルカメラ１０は、画像送信モードに設定されると、無線タグリーダ５０がデジタルカメラ１０から無線通信範囲内にある無線タグから発信された無線タグ情報を読み取る。デジタルカメラ１０のＣＰＵ１１２は、読み取った無線タグ情報に基づいて表示部１１０に通信可能な通信機器を表示する。図９にその画面表示例を示す。デジタルカメラ１０が名称「Hiroshi」の携帯型メモリ２００と通信可能であることを表示部１１０に表示することによりユーザに通知する。
【００７４】
（ステップＳ３）
画像の送信先を選択する（Ｓ３）。ユーザは、モードダイヤル１５０を操作して名称「Hiroshi」の携帯型メモリ２００を選択する。デジタルカメラ１０は、選択された携帯型メモリ２００との間で無線通信路を確立する。無線通信路が確立すると、携帯型メモリ２００の表示部２１４に無線通信が可能な通信機器としてデジタルカメラ１０の名称を表示させてもよい。
【００７５】
（ステップＳ４）
画像データを送信する（Ｓ４）。ユーザは、モードダイヤル１５０を操作して図１０に示す「Ｗｉｒｅｌｅｓｓ  Ｍｏｄｅ」の機能選択画面を表示する。そして、デジタルカメラ１０の不揮発性メモリ１２８に記録された画像データを一括して送信する「画像送信（自動）モード」と、その画像データのうちコマ選択をした画像データのみを送信する「画像送信（コマ選択）モード」とを選択する。画像送信モードが選択されると、デジタルカメラ１０は、選択された画像送信モードに従って画像データを送信する。なお、画像データの送信モードとして、画像データの「移動」または「コピー」を選択させてもよい。この場合、「移動」を選択させると携帯型メモリ２００に送信した後は、送信したデータを自動的にデジタルカメラ１０から削除し、「コピー」を選択させると携帯型メモリ２００に送信した後も送信したデータがデジタルカメラ１０に保存される。
【００７６】
（ステップＳ５）
携帯型メモリ２００が画像データを受信し、記録する（Ｓ５）。携帯型メモリ２００は、アンテナ２１３及び通信部２１２を介して画像データを受信し、記録部２１１に記録する。画像データの送受信が終了すると、本フローの処理を終了する。
【００７７】
携帯型メモリ２００は、画像データの受信及び記録が終了すると、その携帯型メモリ２００に記録された画像データの内容をユーザに知らせるために、記録部２１１に記録された画像データを代表するサムネイル画像を表示部２１４に表示してもよい。記録部２１１に記録された画像データを代表するサムネイル画像とは、例えば、最後に記録した画像データやユーザが指定した画像データのサムネイル画像である。
【００７８】
本実施の形態により、デジタルカメラ１０と非接触な状態で携帯型メモリ２００に画像データを記録させることができる。これにより、デジタルカメラ１０の不揮発性メモリ１２８や記録媒体（メモリカード）３０の空き容量がなくなった場合にも、携帯型メモリ２００に画像データを移動させ、デジタルカメラ１０の不揮発性メモリ１２８や記録媒体３０に再び画像データを記録させることができる。また、デジタルカメラ１０の不揮発性メモリ１２８や記録媒体（メモリカード）３０から携帯型メモリ２００に画像データをコピーさせることにより、空き容量の大小に関わらず携帯型メモリ２００に画像データのバックアップコピーを生成させることができ、画像データの保存安全性を向上させることができる。
【００７９】
なお、携帯型メモリ１００から画像データを取り出す場合には、通信部から画像データを他の携帯型メモリや電子アルバム、パソコンなどに送信してよい。また、ＵＳＢケーブルなどの機器間接続ケーブル用の端子を備えてもよい。
【００８０】
略ペン状の携帯型メモリ２００の別態様として、図１１に示す板状の携帯型メモリ２００ａでもよい。携帯型メモリ２００ａは、主にメモリ部２１０ａと電源部２２０ａとを備える。メモリ部２１０ａは、略ペン状の携帯型メモリ２００と同様、クリップ状のアンテナ２１３を備える。電源部２２０ａは、図１１（ｂ）に示すようにガム型の電池２２２ａとそのガム型の電池２２２ａを収納可能なバッテリ部カバー２２１ａとを備える。なお、表示部２１４は、バッテリ部カバー２２１ａに備えたが、上記略ペン状の携帯型メモリ２００のようにメモリ部２１０に備えてもよい。その他の構成は略ペン状の携帯型メモリ２００と同様である。
【００８１】
＜第二実施形態＞
図１２は、第二実施形態に係る携帯型メモリ３００を示す外観構成図である。図１２（ａ）は、携帯型メモリ３００の構成部分を連結しない状態を示した図、図１２（ｂ）は、携帯型メモリ３００の構成部分を連結した状態を示した図である。
【００８２】
図１２の携帯型メモリ３００は、四角柱状の携帯型メモリ３００であって、第一実施形態と同様、ポケットに固定するためのクリップを備える。
【００８３】
携帯型メモリ３００は、主にメモリ部３１０、通信部３１２、電源部３２０、及び増設用メモリ部３５０により構成される。メモリ部３１０、通信部３１２、電源部３２０、及び増設用メモリ部３５０は各々別体に形成される。
【００８４】
メモリ部３１０は、第一実施形態と同様、表示部３１４と操作ボタン３１８とを備える。メモリ部３１０における一端部には、ＵＳＢコネクタ３１９ａ及びＵＳＢポート３１９ｂを備える。
【００８５】
通信部３１２は、クリップ状に形成されたアンテナ部３１３と、ＵＳＢポート３１２ｂとを備える。通信部３１２の内部には、図示しないものの無線タグを備える。
【００８６】
電源部３２０は、ＵＳＢコネクタ３２０ａを備える。電源部３２０は、ガム型の電池を収納しており、この電池からＵＳＢコネクタ３２０ａを介して携帯型メモリ３００の各構成要素に電源を供給する。
【００８７】
増設用メモリ３５０は、ＵＳＢコネクタ３５０ａ及びＵＳＢポート３５０ｂを備える。ＵＳＢポート３５０ｂに電源部３２０のＵＳＢコネクタ３２０ａが挿入され、増設用メモリ３５０のＵＳＢコネクタ３５０ａをメモリ部３１０のＵＳＢポート３１９ｂに挿入することにより、メモリ部３１０と増設用メモリ部３５０と電源部３２０とは電気的に接続される。その他の構成は、第一実施形態の携帯型メモリ２００と同様である。
【００８８】
メモリ部３１０と増設用メモリ部３５０とは、それぞれメモリ部３１０及び増設用メモリ部３５０を識別するための識別情報を有する。そして、操作部３１８のボタンを押すことにより、受信する画像データの記録先としてメモリ部３１０又は増設用メモリ部３５０のどちらか一つを選択することができる。表示部３１４には、メモリ部３１０又は増設用メモリ部３５０のいずれが選択されているかを示す表示画像が表示される。メモリ部３１０に備えられた通信部を介してデジタルカメラ１０から受信した画像データは、選択されているメモリ部３１０又は増設用メモリ部３５０に記録される。
【００８９】
更に操作部３１８のボタンを押すと、バックアップモードに切り替えることができる。これにより、メモリ部３１０の画像を増設用メモリ部３５０に、又は増設用メモリ部３５０の画像をメモリ部３１０にコピーして画像データをバックアップすることができる。
【００９０】
本実施の形態により、携帯型メモリ３００に増設メモリ部３５０を追加することができ、携帯型メモリ３００の記録容量を増すことができる。なお、図１２では、増設メモリ部３５０を一つだけメモリ部３１０に接続したが、増設メモリ部３５０は、複数あってもよい。この場合にも、操作部３１８のボタンを押し下げることにより選択されているメモリ部３１０、複数の増設用メモリ部３５０のうちのいずれか一つを確認するための表示画像を表示部３１４に表示させることができる。
【００９１】
なお、本実施の形態では、通信部３１２、メモリ部３１０、増設メモリ部３５０、電源部３２０の順に接続したが、接続順序はこれに限らず、通信部３１２、増設メモリ部３５０、メモリ部３１０、電源部３２０でもよい。更に、電源部３２０や通信部３１２の端部にＵＳＢポートやＵＳＢコネクタを備え、通信部３１２、メモリ部３１０、増設メモリ部３５０、電源部３２０の各パーツを所望の順に組み合わせてもよい。
【００９２】
なお、メモリ部３１０のＵＳＢコネクタ３１９ａや増設用メモリ３５０のＵＳＢコネクタ３５０ａを他の携帯型メモリや電子アルバム、パソコンにＵＳＢポートに差し込むことにより、携帯型メモリ３００の画像データを取り出すことができる。
【００９３】
＜第三実施形態＞
図１３に基づいて第三実施形態に係る携帯型メモリ４００について説明する。図１３（ａ）は、携帯型メモリ４００の外観を示す全体斜視図である。図１３（ｂ）は、携帯型メモリ４００を構成する示す断面図である。図１３（ｃ）は、携帯型メモリ４００を構成するカードホルダーを示す上面図である。
【００９４】
携帯型メモリ４００は、カード状のメモリ部４１０と、通信部及び電源部を備えたカードボルダー４２０とを備える。カードホルダー４２０は、支持板４２１と、その支持板の一方端に備えられカード状のメモリ部４１０を差し込み可能なカードポケット４２２とを備える。カードポケット４２２は、図１３（ｂ）及び（ｃ）に示すように、内側が支持板４２１により分割され、二枚のメモリ部４１０を差し込み可能に構成される。カードポケット４２２の内側には、メモリ部４１０と電気的に接続するための端子４２３が備えられる。メモリ部４１０の一端部には、カードホルダー４２０の端子４２３に接続する端子４１３を備える。図１３のカードホルダー４２０は操作ボタン及び表示部を備えていないが、第一実施形態及び第二実施形態と同様、操作ボタン及び表示部を備え、メモリ部４１０に記録された画像データを代表する画像や電池残量などを表示させてもよい。
【００９５】
本実施の形態によれば、カード状のメモリ部４１０を二枚重ねてカードホルダー４２０に収納でき、カード状のメモリ部を積層させた状態でメモリを増設することができる。
【００９６】
なお、メモリ部４１０他の携帯型メモリや電子アルバム、パソコンのカードスロットに差し込むことにより、携帯型メモリ４００の画像データを取り出すことができる。
【００９７】
＜第四実施形態＞
図１４に基づいて第四実施形態に係る携帯型メモリ５００について説明する。図１４（ａ）は、携帯型メモリ５００の外観を示す全体斜視図である。図１４（ｂ）は、携帯型メモリ５００を構成する示す断面図である。
【００９８】
携帯型メモリ５００は、カード状のメモリ部５１０と、通信部５２０と、電源部５３０とにより構成される。通信部５２０及び電源部５３０は、勘合させることにより内部にメモリ部５１０を収納可能なカードボルダーを構成する。
【００９９】
メモリ部５１０は、通信部５２０及び電源部５３０と電気的に接続するための端子５１２を備える。
【０１００】
通信部５２０は、他の記録装置と電気的に接続し、メモリ部５１０に記録された画像データを送受信するためのコネクタ５２１と、メモリ部５１０に接続するための端子５２２を備える。また、図示しないが、通信部５２０は、無線タグを内蔵する。通信部５２０は、この無線タグ又はコネクタ５２１を介してデータを送受信する。
【０１０１】
電源部５３０は、ガム型のバッテリ５３１を内蔵する。また、メモリ部５１０に接続するための端子５３２を備える。
【０１０２】
本実施形態により、別体に形成されたカード状のメモリ部、通信部、及び電源部を組み合わせて、携帯型メモリを構成することができる。
【０１０３】
上記実施形態に係る携帯型メモリの他、携帯型メモリをひもやリング付のスティック状に形成し、デジタルカメラ１０のストラップに携帯型メモリをぶらさげてもよい。
【０１０４】
更に、通信部、メモリ部、電源部の全てを一体に構成し、撮像装置から無線通信により画像データを受信及び記録してもよい。
【０１０５】
なお、上記実施の形態では、撮像装置と携帯型メモリとの間で画像データの送受信を行なったが、外部装置は撮像装置に限らない。例えばＰＣやＰＤＡ等のデータ処理装置との間で、画像データ、テキストデータ、各種アプリケーションソフトウェアに対応した形式のデータ（ファイル）を送受信し、携帯型メモリに記録してもよい。
【図面の簡単な説明】
【０１０６】
【図１】携帯型メモリ２００とデジタルカメラ１０との間で画像データを送受信する画像送受信システムの構成を示す概略構成図
【図２】デジタルカメラ１０を撮影者側からみた外観図
【図３】デジタルカメラ１０のブロック図
【図４】モードダイヤルの詳細を示す図
【図５】第一実施形態に係る携帯型メモリの構成を示す外観構成図
【図６】携帯型メモリの電気的構成を示すブロック図
【図７】デジタルカメラから携帯型メモリへ画像データを送信する処理の流れを示すフローチャート
【図８】無線通信機能の選択画面例を示す図
【図９】画像送信先を表示した画面表示例を示す図
【図１０】Ｗｉｒｅｌｅｓｓ  Ｍｏｄｅの機能選択画面例を示す図
【図１１】第一実施形態の別態様に係る携帯型メモリの構成を示す外観構成図
【図１２】第二実施形態に係る携帯型メモリを示す外観構成図
【図１３】第三実施形態に係る携帯型メモリを示す外観構成図
【図１４】第四実施形態に係る携帯型メモリを示す外観構成図
【符号の説明】
【０１０７】
１０…デジタルカメラ、２００…携帯型メモリ、２００ａ…携帯型メモリ、３００…携帯型メモリ、４００…携帯型メモリ、５００…携帯型メモリ
【図１】
2006350447.tif 000003
【図２】
2006350447.tif 000004
【図３】
2006350447.tif 000005
【図４】
2006350447.tif 000006
【図５】
2006350447.tif 000007
【図６】
2006350447.tif 000008
【図７】
2006350447.tif 000009
【図８】
2006350447.tif 000010
【図９】
2006350447.tif 000011
【図１０】
2006350447.tif 000012
【図１１】
2006350447.tif 000013
【図１２】
2006350447.tif 000014
【図１３】
2006350447.tif 000015
【図１４】
2006350447.tif 000016